(57)【要約】【課題】表示装置に接続される複数の映像出力装置で操作環境を統一し、煩雑な切換設定なしに他の映像出力装置での操作に遷移する可能とする。【解決手段】メニュー画面を要求する制御コマンドをコマンド送受信部23が受信すると、表示装置に接続される他の映像出力装置とその種別をメイン処理部21が検索し、その検索結果を選択対象として加えたメニュー画面を作成して映像送信部22より出力する。出力したメニュー画面中の他の映像出力装置への切換えを要求する制御コマンドをコマンド送受信部23が受信すると、メイン処理部21はコマンド送受信部23より対応する他の映像出力装置への入力切換えを要求する制御コマンドを上記表示装置へ送信させる一方で、メニュー画面を要求する制御コマンドを表示装置を経由して対応する他の映像出力装置へ送信させる。【選択図】      図２
2008294661.tif 000002
【特許請求の範囲】
【請求項１】
表示装置に接続される複数の映像出力装置のうちの１つであって、
メニュー画面を要求する制御コマンドを受信する第１の制御信号受信手段と、
上記表示装置に接続される他の映像出力装置とその種別を検索する検索手段と、
上記第１の制御信号受信手段で受信した制御コマンドに基づき、上記検索手段での検索結果を選択対象として加えたメニュー画面を作成して出力するメニュー出力手段と、
上記メニュー出力手段で出力したメニュー画面中の他の映像出力装置への切換えを要求する制御コマンドを受信する第２の制御信号受信手段と、
上記第２の制御信号受信手段で受信した制御コマンドに基づき、対応する他の映像出力装置への入力切換えを要求する制御コマンドを上記表示装置へ送信すると共に、上記メニュー画面を要求する制御コマンドを上記表示装置を経由して上記対応する他の映像出力装置へ送信する制御信号送信手段と
を具備したことを特徴とする映像出力装置。
【請求項２】
上記制御信号送信手段は、上記メニュー画面を要求する制御コマンドに、さらに当該メニュー画面の表示態様を特定する識別情報を付加して上記表示装置を経由して上記対応する他の映像出力装置へ送信することを特徴とする請求項１記載の映像出力装置、
【請求項３】
上記メニュー出力手段は、上記検索手段での検索結果をＧＵＩ（Ｇｒａｐｈｉｃａｌ  Ｕｓｅｒ  Ｉｎｔｅｒｆａｃｅ）化した選択対象として加えたメニュー画面を作成して出力することを特徴とする請求項１記載の映像出力装置。
【請求項４】
複数の映像出力装置を接続した表示装置であって、
メニュー画面を要求する制御コマンドを上記複数の映像出力装置中の第１の映像出力装置へ送信する第１の制御信号送信手段と、
上記第１の制御信号受信手段で送信した制御コマンドに基づき、上記第１の映像出力装置から出力されるメニュー画面を入力するメニュー入力手段と、
上記メニュー入力手段で入力したメニュー画面中の他の映像出力装置への切換えを要求する制御コマンドを送信する第２の制御信号送信手段と、
上記第２の制御信号送信手段で送信した制御コマンドに基づき、上記第１の映像出力装置から送信されてくる、他の映像出力装置への入力切換えを要求する制御コマンドを受信すると共に、上記メニュー画面を要求する制御コマンドを上記対応する他の映像出力装置へ転送する制御信号受信手段と、
上記制御信号受信手段で受信した制御コマンドに基づいて上記第１の映像出力装置から上記対応する他の映像出力装置へ、入力切換えを実行する入力切換手段と
を具備したことを特徴とする表示装置。
【発明の詳細な説明】
【技術分野】
【０００１】
本発明は、例えばＨＤＭＩ−ＣＥＣに準拠した映像システム等に好適な映像出力装置及び表示装置に関する。
【背景技術】
【０００２】
近年、映像出力装置や表示装置等の間を接続するインタフェースとして、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）が普及しつつある。
【０００３】
このＨＤＭＩでは、各機器間をお互いに制御するために、ＣＥＣ（Ｃｏｎｓｕｍｅｒ  Ｅｌｅｃｔｒｏｎｉｃｓ  Ｃｏｎｔｒｏｌ）と呼ばれる制御機器信号及び制御プロトコルが規格化されている。
【０００４】
このＨＤＭＩ−ＣＥＣを用いた技術として、表示装置のリモコンで、ケーブル接続されている映像出力装置の動作も合わせて遠隔制御するようにしたものが考えられている。（例えば、特許文献１）
【特許文献１】特開２００４−２０８２９０号公報
【発明の開示】
【発明が解決しようとする課題】
【０００５】
上記特許文献１に記載された技術は、表示装置に接続された映像出力装置の簡単な動作を表示装置のリモコンにより実現することで、ユーザは常にリモコンをテレビに向けて操作すれば良く、ユーザが操作対象機器毎にリモコンを向ける方向を変える必要がないため、操作の混乱を防ぐことができる。
【０００６】
しかし、単にリモコンの方向を統一するのみであって、個々の端末に関する操作を必要に応じて簡略化するなどの機能を有するものではない。
【０００７】
例えば、表示装置に複数の映像出力装置が接続されており、そのうちの第１の映像出力装置に蓄積されている映像コンテンツをメニュー画面で一覧表示させ、表示された中で所望する映像コンテンツがない場合には、次に表示装置の入力切換を第１の映像出力装置から第２の映像出力装置に切換えた後に、同様に第２の映像出力装置に蓄積されている映像コンテンツをメニュー画面で一覧表示させる、といったきわめて煩雑な操作が必要となるが、上記特許文献１に記載された技術はそれら一連の操作の一部でも簡略化するものではない。
【０００８】
加えて、異なる機種の映像出力装置では、例えばそれぞれに蓄積している映像コンテンツを一覧表示するメニュー画面を採ってもその表示形式は機種毎に異なるものであり、複数の映像コンテンツを配列する順序や方向、映像コンテンツを表す各種テキスト情報などは統一されていない。
【０００９】
そのため、複数の映像出力装置から１つの映像コンテンツを探し出す場合などでは、ユーザは個々の映像出力装置毎のメニュー画面の表示形態とそれに対する操作体系を予め把握しておかなければならず、ユーザへの負担が大きい。
【００１０】
本発明は上記のような実情に鑑みてなされたもので、その目的とするところは、煩雑な切換設定なしに他の映像出力装置での操作に遷移することが可能な映像出力装置及び表示装置を提供することにある。
【課題を解決するための手段】
【００１１】
上記目的を達成するために、請求項１記載の映像出力装置は、表示装置に接続される複数の映像出力装置のうちの１つであって、メニュー画面を要求する制御コマンドを受信する第１の制御信号受信手段と、上記表示装置に接続される他の映像出力装置とその種別を検索する検索手段と、上記第１の制御信号受信手段で受信した制御コマンドに基づき、上記検索手段での検索結果を選択対象として加えたメニュー画面を作成して出力するメニュー出力手段と、上記メニュー出力手段で出力したメニュー画面中の他の映像出力装置への切換えを要求する制御コマンドを受信する第２の制御信号受信手段と、上記第２の制御信号受信手段で受信した制御コマンドに基づき、対応する他の映像出力装置への入力切換えを要求する制御コマンドを上記表示装置へ送信すると共に、上記メニュー画面を要求する制御コマンドを上記表示装置を経由して上記対応する他の映像出力装置へ送信する制御信号送信手段とを具備したことを特徴とする。
【００１２】
請求項４記載の表示装置は、複数の映像出力装置を接続した表示装置であって、メニュー画面を要求する制御コマンドを上記複数の映像出力装置中の第１の映像出力装置へ送信する第１の制御信号送信手段と、上記第１の制御信号受信手段で送信した制御コマンドに基づき、上記第１の映像出力装置から出力されるメニュー画面を入力するメニュー入力手段と、上記メニュー入力手段で入力したメニュー画面中の他の映像出力装置への切換えを要求する制御コマンドを送信する第２の制御信号送信手段と、上記第２の制御信号送信手段で送信した制御コマンドに基づき、上記第１の映像出力装置から送信されてくる、他の映像出力装置への入力切換えを要求する制御コマンドを受信すると共に、上記メニュー画面を要求する制御コマンドを上記対応する他の映像出力装置へ転送する制御信号受信手段と、上記制御信号受信手段で受信した制御コマンドに基づいて上記第１の映像出力装置から上記対応する他の映像出力装置へ、入力切換えを実行する入力切換手段とを具備したことを特徴とする。
【発明の効果】
【００１３】
本発明によれば、煩雑な切換設定なしに他の映像出力装置での操作に遷移することが可能な映像出力装置及び表示装置を提供することができる。
【発明を実施するための最良の形態】
【００１４】
本発明を映像出力装置及び表示装置が使用される映像システムに適応した一実施形態について図面を参照して説明する。  
図１は、同映像システム１の接続構成を示すものである。ここで映像システム１は、複数台、例えば３台の映像出力装置２Ａ〜２Ｃと、１台の表示装置３とから構成され、各映像出力装置２Ａ〜２ＣはＨＤＭＩ信号線４Ａ〜４Ｃで接続される。
【００１５】
映像出力装置２Ａ〜２Ｃは、例えばＤＶＤ（Ｄｉｇｉｔａｌ  Ｖｅｒｓａｔｉｌｅ  Ｄｉｓｋ）プレーヤ、同レコーダ、ＨＤＤ（Ｈａｒｄ  Ｄｉｓｋ  Ｄｒｉｖｅ）レコーダ、ＣＡＴＶのセットトップボックス（ＳＴＢ）等、映像コンテンツを蓄積、または受信して表示装置３へ出力する。
【００１６】
また、表示装置３は、例えば液晶ハイビジョンテレビなどのデジタルテレビである。上記映像出力装置２Ａ〜２Ｃと表示装置３はそれぞれＨＤＭＩ端子を有し、上述した如くＨＤＭＩ信号線４Ａ〜４Ｃで接続される。表示装置３においては、映像出力装置２Ａをビデオ１、映像出力装置２Ｂをビデオ２、映像出力装置２Ｃをビデオ３として入力切換えにより各装置の出力する映像信号を択一的に選択して表示する。ＨＤＭＩ規格上では、映像出力装置２Ａ〜２Ｃがいずれもソース（ｓｏｕｒｃｅ）デバイス、表示装置３がシンク（ｓｉｎｋ）デバイスとして機能する。
【００１７】
より具体的には、例えば映像出力装置２ＡがＨＤＤレコーダとＤＶＤレコーダとを一体化したＨＤＤ−ＤＶＤレコーダ、映像出力装置２Ｂがテレビゲーム装置、映像出力装置２ＣがＨＤ  ＤＶＤレコーダであるものとし、特に映像出力装置２Ａ，２Ｃはデジタルテレビチューナを搭載して、各記憶媒体に記憶されたデータや、アンテナから入力される放送波から得られる映像信号や音声信号を、ＨＤＭＩ信号線４Ａ〜４Ｃを介して表示装置３に出力する。
【００１８】
表示装置３は、ユーザが操作するリモコン３ａから操作信号を受信することができる。表示装置３は、この操作信号に基づいてＨＤＭＩ−ＣＥＣ（以下単にＣＥＣとも称す）に基づく制御コマンドを各映像出力装置２Ａ〜２Ｃに送信することにより、例えば映像出力装置２Ａ〜２Ｃにメニュー画面を出力させる等の各種制御を行なうことができる。ここで映像出力装置は、複数のメニュー画面を出力することができるものとする。
【００１９】
さらに、図中にも示す如く表示装置３と映像出力装置２Ａ，２Ｃはいずれも製造メーカがＡ社、映像出力装置２Ｂのみ製造メーカがＢ社であるものとし、ＨＤＭＩ−ＣＥＣを用いたＡ社固有の技術により、Ａ社製の装置間では本来のＨＤＭＩ−ＣＥＣでは規定されていない拡張機能として独自の制御コマンドに基づく制御動作を実行可能であるものとする。
【００２０】
なお、本実施形態では、ユーザが操作入力する入力インタフェースとして表示装置３とは別体のリモコン３ａを使用しているが、本実施形態はこれに限るものではなく、例えば表示装置３の本体に設けられた操作ボタンを入力インタフェースとして用いても良い。
【００２１】
図２は、本実施形態における映像出力装置２Ａ（〜２Ｃ）共通の制御系統の概略構成を示すブロック図である。  
映像出力装置２Ａ（〜２Ｃ）は、メイン処理部２１、映像送信部２２、及びコマンド送受信部２３を有する。メイン処理部２１、映像送信部２２、コマンド送受信部２３は、それぞれ制御線（Ｉ２Ｃ  Ｂｕｓ）を介して接続されている。
【００２２】
メイン処理部２１は、例えば記憶媒体（図示せず）に記録されたデータを再生し、再生して得られる映像信号や音声信号、あるいはメニュー画面を作成して映像信号に重畳し、映像線から映像送信部２２に出力する機能を有する。
【００２３】
また、メイン処理部２１はコマンド送受信部２３による表示装置３との制御コマンドの送受信を制御する。
【００２４】
メイン処理部２１で処理された映像信号は、上述した如く映像線を介して映像送信部２２に入力され、ＨＤＭＩ信号線４Ａ（〜４Ｃ）を構成する映像送信線４ａ（ＴＭＤＳ：Ｔｒａｎｓｉｔｉｏｎ  Ｍｉｎｉｍｉｚｅｄ  Ｄｉｆｆｅｒｅｎｔｉａｌ  Ｓｉｇｎａｌｉｚｉｎｇ）から表示装置３へ出力される。
【００２５】
コマンド送受信部２３は、上述した通りメイン処理部２１からの制御の下、ＨＤＭＩ信号線４Ａ（〜４Ｃ）を構成するコマンド送受信線４ｃを介してＣＥＣの制御コマンドを送受信する。特に、自身が出力可能なメニュー画面のリストを制御コマンドとして送信する機能を有する。また、映像信号の送信及び制御コマンドの送受信に必要な物理アドレスは、ＨＤＭＩ信号線４Ａ（〜４Ｃ）を構成するアドレス受信線４ｂを介して決定される。
【００２６】
図３は、本実施形態における表示装置３の制御系統の概略構成を示すブロック図である。表示装置３は、メイン処理部３１、リモコン通信部３２、コマンド送受信部３３Ａ〜３３Ｃ、映像受信部３４Ａ〜３４Ｃ、表示部３５、及び映像選択部３６から構成される。
【００２７】
メイン処理部３１、コマンド送受信部３３Ａ〜３３Ｃ、映像受信部３４Ａ〜３４Ｃは、制御線（Ｉ２Ｃ  Ｂｕｓ）を介して接続されている。
【００２８】
メイン処理部３１は、コマンド送受信部３３Ａ〜３３Ｃによる映像出力装置２との制御コマンドの送受信を制御する。特に、リモコン通信部３２で受信したリモコン３ａからの操作信号に基づき、必要に応じてコマンド送受信部３３に制御コマンドを送信させる。
【００２９】
また、メイン処理部３１は、映像出力装置２から制御コマンドとして受信したメニュー画面の表示要求に基づいて対応するメニュー画面を作成し、表示部３５に表示させることができる。
【００３０】
コマンド送受信部３３Ａ（〜３３Ｃ）は、メイン処理部３１による制御の下、ＨＤＭＩ信号線４Ａ（〜４Ｃ）を構成するコマンド送受信線４ｃを介してＣＥＣの制御コマンドを送受信する。特に、映像出力装置２Ａ（〜２Ｃ）が出力可能なメニュー画面の送信要求や、映像出力装置２Ａ（〜２Ｃ）が出力可能なメニュー画面の中の１つのメニュー画面の出力要求を制御コマンドとして送信することができる。
【００３１】
また、メイン処理部３１はコマンド送受信部３３Ａ（〜３３Ｃ）を介して映像受信部３４Ａ（〜３４Ｃ）の制御を行なう。ＨＤＭＩ信号線４Ａ（〜４Ｃ）を構成する映像受信線４ａ（図２では映像送信線４ａとして説明）を介して映像受信部３４Ａ（〜３４Ｃ）に入力された映像信号は、映像線を介して映像選択部３６へ送られ、映像選択部３６でメイン処理部３１の制御によりいずれか１つが選択されて表示部３５に送られ、表示部３５が映像信号の内容に対応した映像を表示する。
【００３２】
映像信号の受信及び制御コマンドの送受信に必要な物理アドレスは、ＨＤＭＩ信号線４Ａ（〜４Ｃ）を構成するアドレス送信線４ｂ（図２ではアドレス受信線４ｂとして説明）を介して決定する。
【００３３】
次に上記実施形態の動作について説明する。  
まず、図４を参照して本映像システム１におけるメニュー画面の選択動作の例を説明する。
【００３４】
ここでは、メニュー画面の１つとして、ＨＤＤ−ＤＶＤレコーダである映像出力装置２Ａの再生動作を行なうものとし、すでにＨＤＤに録画されている映像コンテンツのリストを再生リストとして作成させる、Ａ社において「見るナビ」と称するメニュー画面を表示装置３の表示部３５で表示させる場合について説明する。
【００３５】
表示装置３のリモコン３ａで映像出力装置２Ａの「見るナビ」メニューの表示を指定するキー操作を行なうと、リモコン通信部３２を介してその操作信号をメイン処理部３１が受付ける（ステップＳ４０１）。
【００３６】
メイン処理部３１は、受付けた当該メニュー画面の表示を制御コマンドでコマンド送受信部３３Ａ、ＨＤＭＩ信号線４Ａを介して映像出力装置２Ａ側に送信する（ステップＳ４０２）。
【００３７】
映像出力装置２Ａでは、ＨＤＭＩ信号線４Ａを介してコマンド送受信部２３でこの制御コマンドを受信し、映像送信部２２がその制御コマンドに対応して表示装置３に接続されている他の映像出力装置をサーチするべく、表示装置３を介してＨＤＭＩ信号線４Ｂ，４Ｃの接続の有無と、同社製である場合はさらにその種別を問う制御コマンドを発信する（ステップＳ４０３）。
【００３８】
この制御コマンドに対し、表示装置３に接続される他の映像出力装置からの応答である制御コマンドが表示装置３を介して返送されてくると（ステップＳ４０４）、映像出力装置２Ａの映像送信部２２はそれらを受信した結果に基づいて、他の映像出力装置への切換えを選択対象として含めた、再生リストとしての「見るナビ」のメニュー画面を作成する（ステップＳ４０６）。
【００３９】
この際にメイン処理部３１では、他の映像出力装置のうち、同社製で装置の種別が把握できたものに関してはその種別名で、他社製で装置の種別が把握できなかったものに関しては表示装置３での接続端子名「ビデオｎ」（ｎ＝１，２，３）でそれぞれ選択対象としてメニュー画面の一部を作成する。
【００４０】
そして、作成した「見るナビ」のメニュー画面を映像信号化し、ＨＤＭＩ信号線４Ａの映像送信線４ａを介して表示装置３へ送信し続ける（ステップＳ４０７）。
【００４１】
なお、表示装置３では、上記ステップＳ４０２での「見るナビ」の表示を指示する制御コマンド送信後に、必要に応じて映像出力装置２Ａが出力する映像信号を選択して表示部３５で表示するように、入力切換えを「ビデオ１」に自動的に変更設定する（ステップＳ４０５）。
【００４２】
この入力切換えに伴い、映像出力装置２Ａから送信される「見るナビ」の映像信号が映像受信部３４Ａを介して映像選択部３６で選択され、表示部３５に供給されて表示されることとなる（ステップＳ４０８）。
【００４３】
図６は、このとき表示装置３の表示部３５で表示される「見るナビ」のメニュー画面を例示するものである。画面上部の「ＨＤＤ−ＤＶＤレコーダ」表示６１と「見るナビ」表示６２は、映像出力装置２Ａの種別がＨＤＤ−ＤＶＤレコーダであり、その時点では再生リストの表示である見るナビの画面であることを示している。
【００４４】
また、画面右上端部の「ビデオ１」表示６３は、映像出力装置２Ａからの映像信号上に表示装置３側で重畳されたＯＳＤ（Ｏｎ  Ｓｃｒｅｅｎ  Ｄｉｓｐｌａｙ）表示によって、上記入力切換えによりビデオ１端子に接続されている映像出力装置２Ａが新たに選択されたことを示すもので、一定時間、例えば５秒後に自動的に消去される。
【００４５】
そして、画面の中央大部分を用いて、映像出力装置２Ａに記憶される映像コンテンツのリスト６４の少なくとも一部が表示される。ここでは、各映像コンテンツに関し、先頭に位置する映像、録画を開始した年月日と時刻、録画を行なったチューナでの選局チャンネル、録画モード等情報と合わせて、その映像コンテンツのタイトル名を表示している。
【００４６】
このリスト６４に関しては、表示しきれないほど映像コンテンツの数が存在する場合には、図示する如くスクロールを指示することで表示範囲を変えることができる。
【００４７】
さらに、画面の下部において、他の映像出力装置等への切換えを指示するボタン６５〜６７を表示する。ここで映像出力装置２Ａと同一メーカーの製品である表示装置３と映像出力装置２Ｃは、上述したＨＤＭＩ−ＣＥＣを拡張したＡ社独自の規格により映像出力装置２Ａ側で応答の制御コマンドからその装置の種別が把握できるものとし、ボタン６５，６７にて「テレビ」「ＨＤ  ＤＶＤレコーダ」のように選択対象の装置名を正確に表示している。
【００４８】
一方で、映像出力装置２Ｂに関しては映像出力装置２Ａとは異なるメーカ製であり、装置の種別が把握できなかったものとして、単に表示装置３における入力端子名「ビデオ２」をボタン６６で表示している。
【００４９】
上記図６では、ビデオ３に相当する映像出力装置２Ｃを示す「ＨＤ  ＤＶＤレコーダ」ボタン６７が仮に選択されて反転表示されている状態を例示するものである。この仮選択の状態からリモコン３ａで確定を指示するキー操作がなされることにより、当該メニュー画面の表示環境を維持したままで入力切換え動作が実行される。その際の動作については後述する。
【００５０】
なお、映像出力装置２Ａにおいては、この「見るナビ」を含めて録画予約のメニュー画面を示す「撮るナビ」、ＥＰＧ（電子番組表）のリスト表示を行なう「番組ナビ」等の各メニュー画面毎に複数の表示態様から１つを選択することができるものとし、メニュー画面中の最右側やや上端よりにも「表示切換」ボタン６８を表示し、このボタン６８を選択指示することで順次表示態様を切り換えられるものとする。
【００５１】
図５は、Ａ社製の映像出力装置２Ａ（または２Ｃ）が実行する、主としてメニュー画面の切換動作に関する処理内容を抽出してフローチャートであり、メイン処理部２１がコマンド送受信部２３を介して表示装置３側から送られてくる制御コマンドに基づいて実行する。
【００５２】
その当初には、表示装置３からリモコン３ａのキー操作に基づく当該装置２Ａ（２Ｃ）宛ての制御コマンドの受信があったか否かを判断する（ステップＳ５０１）。
【００５３】
ここで受信がないと判断した場合、さらにこの装置２Ａ（２Ｃ）に対し、表示装置３を介して他の映像出力装置から起動を促すなんらかの制御コマンドの受信があったか否かを判断する（ステップＳ５０２）。
【００５４】
ここでも受信がないと判断した場合、再び上記ステップＳ５０１からの処理に戻り、以後これらステップＳ５０１，Ｓ５０２の処理を繰返し実行することで、いずれかの制御コマンドの受信があるのを待機する。
【００５５】
しかして、当該装置２Ａ（２Ｃ）宛ての制御コマンドの受信があった場合、上記ステップＳ５０１でこれを判断し、次にその制御コマンドがメニュー画面中の入力切換えを指示するキー操作であるか否かを判断する（ステップＳ５０３）。
【００５６】
そうではなかった場合は、本発明の動作とは直接関係しないので詳細な説明については省略するが、その制御コマンドの内容に応じて必要な処理を実行する。
【００５７】
一方、上記ステップＳ５０３でメニュー画面中の入力切換えを指示するキー操作に伴う制御コマンドを受信したと判断した場合には、次いでその切換え先の映像出力装置が同一メーカ製の種別が把握できている装置であるか否かについて判断する（ステップＳ５０４）。
【００５８】
ここで種別を把握できている装置であると判断した場合にのみ、その時点で出力している例えば「見るナビ」のメニュー画面の識別情報及びその時点で選択設定されている当該メニュー画面の表示態様の識別情報を基に制御コマンドを作成し、表示装置３を介して切換え先の映像出力装置に対して送信する（ステップＳ５０５）。
【００５９】
その後、上記ステップＳ５０５の実行の有無に拘わらず、操作された映像出力装置への入力切換えを指示する制御コマンドを表示装置３に対して送信し（ステップＳ５０６）、以上で一連の動作を一旦完了して、次の操作に備えるべく、上記ステップＳ５０１からの処理に戻る。
【００６０】
一方、切換え先の映像出力装置２Ｃでは、同様に上記図５に示したステップＳ５０１，Ｓ５０２の処理を繰返し実行している過程で、映像出力装置２Ａから表示装置３を介しての制御コマンドを受信するとこれをステップＳ５０２で判断し、次に受信した制御コマンドがメニュー画面の識別情報を含むものであるか否かを判断する（ステップＳ５０７）。
【００６１】
ここで制御コマンドがメニュー画面の識別情報を含んでいないと判断した場合には、本発明の動作とは直接関係しないので詳細な説明については省略するが、その制御コマンドの内容に応じて必要な処理を実行する。
【００６２】
一方、上記ステップＳ５０７で受信した制御コマンドがメニュー画面の識別情報を含むものであると判断した場合には、そのメニュー画面の識別情報及びその識別情報に付加設定いる筈の表示態様の識別情報を基に必要なメニュー画面を作成する（ステップＳ５０８）。
【００６３】
そして、作成したメニュー画面を映像信号化し、ＨＤＭＩ信号線４Ｃの映像送信線４ａを介して表示装置３へ送信し（ステップＳ５０９）、以上で一連の動作を一旦完了して、次の操作に備えるべく、上記ステップＳ５０１からの処理に戻る。
【００６４】
図７は、上記図６の画面で映像出力装置２Ａが作成した「見るナビ」のメニュー画面中の映像出力装置２Ｃを示す「ＨＤ  ＤＶＤレコーダ」ボタン６７が選択されることで、表示装置３が自動的に入力切換えを「ビデオ３」に切換えた時点で表示部３５にて表示される、映像出力装置２Ｃの作成した「見るナビ」のメニュー画面を例示するものである。
【００６５】
画面上部の「ＨＤ  ＤＶＤレコーダ」表示７１と「見るナビ」表示７２は、映像出力装置２Ｃの種別がＨＤ  ＤＶＤレコーダであり、その時点では再生リストの表示である「見るナビ」の画面であることを示している。
【００６６】
また、画面右上端部の「ビデオ３」表示７３は、映像出力装置２Ｃからの映像信号上に表示装置３側で重畳されたＯＳＤ表示によって、上記入力切換えによりビデオ３端子に接続されている映像出力装置２Ｃが新たに選択されたことを示すもので、一定時間、例えば５秒後に自動的に消去される。
【００６７】
そして、画面の中央大部分を用いて、映像出力装置２Ｃに記憶される映像コンテンツのリスト７４の少なくとも一部が表示される。ここでは、各映像コンテンツに関し、先頭に位置する映像、録画を開始した年月日と時刻、録画を行なったチューナでの選局チャンネル、録画モード等情報と合わせて、その映像コンテンツのタイトル名を表示している。
【００６８】
さらに、画面の下部において、他の映像出力装置等への切換えを指示するボタン７５〜７７を表示する。ここで映像出力装置２Ｃと同一メーカーの製品である表示装置３と映像出力装置２Ａは、上述したＨＤＭＩ−ＣＥＣを拡張したＡ社独自の規格により映像出力装置２Ｃ側でその装置の種別が把握できるものとし、ボタン７５，７６にて「テレビ」「ＨＤＤ−ＤＶＤレコーダ」のように選択対象の装置名を正確に表示している。
【００６９】
一方で、映像出力装置２Ｂに関しては映像出力装置２Ｃとは異なるメーカ製であり、装置の種別が把握できないものとして、単に表示装置３における入力端子名「ビデオ２」をボタン７７で表示している。
【００７０】
上記図７では、映像出力装置２Ｃへの切換直後で、ビデオ１に相当する映像出力装置２Ａを示す「ＨＤＤ−ＤＶＤレコーダ」ボタン６７が自動的に仮選択され、反転表示されている状態を例示するものである。
【００７１】
こうして入力切換を行なう前に選択していた装置を自動的に仮選択状態とすることで、そのままリモコン３ａで確定を指示するキー操作を行なうことにより、当該メニュー画面の表示環境を維持したままで再度元の装置への入力切換え動作を実行することができる。
【００７２】
なお、この映像出力装置２Ｃにおいても、この「見るナビ」を含めて録画予約のメニュー画面を示す「撮るナビ」、ＥＰＧ（電子番組表）のリスト表示を行なう「番組ナビ」等の各メニュー画面毎に複数の表示態様から１つを選択することができるものとし、メニュー画面中の最右側やや上端よりにも「表示切換」ボタン７８を表示し、このボタン７８を選択指示することで順次表示態様を切り換えられる。
【００７３】
しかしながら、上述した如く他の装置から表示態様を指示する制御コマンドを受信することで、自動的にその比したいように従ったメニュー画面を選択して表示させることで、対象となる装置が切換えられても表示部３５上での操作環境が維持される。
【００７４】
このように本実施形態によれば、複数の映像出力装置の操作環境を統一し、煩雑な切換設定なしに他の映像出力装置での操作に即時遷移することが可能となる。
【００７５】
なお、上記実施形態では、映像出力装置２Ａ，２Ｃは共に、再生リストのメニュー画面である「見るナビ」を含めて、録画予約のメニュー画面を示す「撮るナビ」、ＥＰＧ（電子番組表）のリスト表示を行なう「番組ナビ」等の各メニュー画面毎に複数の表示態様から１つを選択することができるものとし、装置の切換時にはその表示態様を特定する識別情報も制御コマンドとして切換え先の映像出力装置に送信し、切換後のメニュー画面の表示態様を同様となるものとした。
【００７６】
これにより、切換え先の映像出力装置では当該メニュー画面で異なる表示態様の設定がなされていた場合であっても、切換え前の映像出力装置で使用していた表示態様が自動的に継承して使用されるものとなるため、複数の映像出力装置の操作環境を確実に統一することができる。
【００７７】
また、上記実施形態では、他の映像出力装置への切換えに際してその選択対象をＧＵＩ化してボタン６６，６７，７６，７７としてメニュー画面中に表示するものとした。
【００７８】
これにより、他の映像出力装置への切換え操作が視覚的に理解し易く、ユーザにとってより操作し易い環境を提供できる。
【００７９】
なお、上記実施形態では、表示装置３に接続される映像出力装置２Ａ〜２Ｃをそれぞれ具体的な装置、例えばＨＤＤ−ＤＶＤレコーダ、テレビゲーム装置、ＨＤ  ＤＶＤレコーダであるものとして説明したが、本発明はこれに限ることなく、各種映像コンテンツを作成、蓄積、あるいは受信して出力することが可能な装置であれば良い。
【００８０】
また、上記実施形態は、複数の装置間をＨＤＭＩに基づいたケーブルで接続するものとして説明したが、本発明は接続インタフェースを限定するものでもなく、ＨＤＭＩ以外の有線インタフェースあるいはＩＥＥＥ８０２．１１技術やＢｌｕｅｔｏｏｔｈ（登録商標）などの無線ＬＡＮ技術を用いた無線インタフェース等であっても同様に実現できる。
【００８１】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００８２】
【図１】本発明の一実施形態に係る映像システムの接続構成を示すブロック図。
【図２】同実施形態に係る映像出力装置の制御系統の概略構成を示すブロック図。
【図３】同実施形態に係る表示装置制御系統の概略構成を示すブロック図。
【図４】同実施形態に係るメニュー画面表示までの映像出力装置と表示装置間での動作を説明するシーケンス図。
【図５】同実施形態に係る映像出力装置が実行する、主としてメニュー画面の切換動作に関する処理内容を抽出して示すフローチャート。
【図６】同実施形態に係る表示装置の表示部で表示される「見るナビ」のメニュー画面を例示する図。
【図７】同実施形態に係る表示装置の表示部で表示される切換後の「見るナビ」のメニュー画面を例示する図。
【符号の説明】
【００８３】
１…通信システム
２Ａ〜２Ｃ…映像出力装置
３…表示装置
３ａ…リモコン
４Ａ〜４Ｃ…ＨＤＭＩ信号線
４ａ…映像送信線、映像受信線
４ｂ…アドレス受信線、アドレス送信線
４ｃ…コマンド送受信線
２１…メイン処理部
２２…映像送信部
２３…コマンド送受信部
３１…メイン処理部
３２…リモコン通信部
３３Ａ〜３３Ｃ…コマンド送受信部
３４Ａ〜３４Ｃ…映像受信部
３５…表示部
【図１】
2008294661.tif 000003
【図２】
2008294661.tif 000004
【図３】
2008294661.tif 000005
【図４】
2008294661.tif 000006
【図５】
2008294661.tif 000007
【図６】
2008294661.tif 000008
【図７】
2008294661.tif 000009